(57)【特許請求の範囲】
【請求項１】
両端開口を有し一端部側が先端に向かって徐々に縮小する筒状の所謂ペン型の本体内に、光源からの光の光路を形成する光照射部と、前記光源の点灯制御を行う制御回路部と、前記制御回路部を介して前記光源に給電する電源部を備えたペン型照射装置であって、
前記光照射部は、少なくとも先端開口を有する略筒状を呈すると共に内周面の互いに対向する面を夫々第１反射面及び第２反射面とするリフレクタと、
前記リフレクタ内の前記第１反射面側に位置する円筒状の放電管と、
前記リフレクタの先端開口の前方に位置する凸状の集光レンズと、を備え、
前記放電管は前記本体の長手方向の中心軸に対して所定の角度で前方方向に向って外側に開いて配置されていることを特徴とするペン型照射装置。
【請求項２】
前記第１反射面及び前記第２反射面は、前記本体の長手方向の中心軸に対して所定の角度で前方方向に向って外側に開いて配置されていることを特徴とする請求項１に記載のペン型照射装置。
【請求項３】
前記放電管と前記リフレクタの第１反射面は、前記本体の長手方向の中心軸に対して同一角度で前方方向に向って外側に開いて配置されていることを特徴とする請求項２に記載のペン型照射装置。
【請求項４】
両端開口を有し一端部側が先端に向かって徐々に縮小する筒状の所謂ペン型の本体内に、光源からの光の光路を形成する光照射部と、前記光源の点灯制御を行う制御回路部と、前記制御回路部を介して前記光源に給電する電源部を備えたペン型照射装置であって、
前記光照射部は、少なくとも先端開口を有する略筒状を呈すると共に内周面の１面を第２反射面とし該第２反射面に対向する面を第１反射面及び前記第１反射面の前方方向に位置する第３反射面とするリフレクタと、
前記リフレクタ内の前記第１反射面側に位置する円筒状の放電管と、
前記リフレクタの先端開口の前方に位置する凸状の集光レンズと、を備え、
前記放電管は前記本体の長手方向の中心軸に対して所定の角度で前方方向に向って外側に開いて配置されていることを特徴とするペン型照射装置。
【請求項５】
前記第１反射面、前記第２反射面及び第３反射面は、前記本体の長手方向の中心軸に対して所定の角度で前方方向に向って外側に開いて配置されていることを特徴とする請求項４に記載のペン型照射装置。
【請求項６】
前記放電管と前記リフレクタの第１反射面は、前記本体の長手方向の中心軸に対して同一角度で前方方向に向って外側に開いて配置されていることを特徴とする請求項５に記載のペン型照射装置。
【発明の詳細な説明】
【技術分野】
【０００１】
本発明は、ペン型照射装置に関するものであり、詳しくは、消色性インクで記された文字や図柄等に近赤外及び可視光波長領域の光エネルギーを照射することにより消色する、ペン型の照射装置に関する。
【背景技術】
【０００２】
従来、この種の照射装置としては、例えば、以下のような構成からなるものが開示されている。
【０００３】
それは、図１０に示すように、下側を開口としたケース８０内に反射板８１を設け、反射板８１の下方にソケット８２を設けてハロゲンランプ８３を取り付け、ハロゲンランプ８３の下方に凸レンズ８４を設け、ケース８０の開口端部の対向する位置に一対のローラ８５を配置した構成としている。
【０００４】
そして、ハロゲンランプ８３を点灯状態にして消色装置８６を消色（消去）したい文字や図柄等に沿って紙面上をローラ８５を介して移動させることにより、ハロゲンランプ８３からの出射光が凸レンズ８４を介して照射されて、消去性着色剤が用いられた文字や図柄等が消色（消去）されるというものである（例えば、特許文献１参照。）。
【０００５】
また、図１１に示すように、両端開口の円筒状のケーシング９０の一半分部に、液状触媒を保持する保持タンク９１と、該保持タンク９１から延びてケーシング９０の一半分部側の開口端部から突出した硬質フェルト要素９２を設け、円筒状のケーシング９０の他半分部に、凹面反射鏡要素９３と該凹面反射鏡要素９３の焦点に、ケーシング９０内に収容された乾電池９４に接続したハロゲンランプ９５を設け、ケーシング９０の他半分部側の開口端部に透明ガラス９６を設けた構成としたものもある。
【０００６】
これにより、近赤外線消色型色素からなる触媒非含有記録剤による書き損じ等に、ケーシング９０の一半分部側の開口端部から突出した硬質フェルト要素９２を介して液状触媒を塗布し、次いで、ケーシング９０の他半分部側に設けられたハロゲンランプ９５を点灯して近赤外線の出射光を透明ガラス９６を介して、開口端部から突出した硬質フェルト要素９２を介して液状触媒が塗布された書き損じ等の部分に照射する。すると、近赤外線による照射部に熱が発生して書き損じ部等に塗布された液状触媒を簡単に消色することができるというものである（例えば、特許文献２参照。）。
【先行技術文献】
【特許文献】
【０００７】
【特許文献１】実開平５−７４９８号公報
【特許文献２】特許第２９９６５８１号
【発明の概要】
【発明が解決しようとする課題】
【０００８】
ところで、上記特許文献１に開示された消色装置は、ハロゲンランプ点灯時の発熱が使用時から使用後までケース内にこもってケース温度を上昇させ、使用者がやけどを負う危険性がある。また、ハロゲンランプの点灯用電源をケース外に別体に設けざるを得ず、携帯性に乏しいという問題がある。
【０００９】
また、特許文献２に開示された消色装置は、特許文献１と同様の理由で使用者がやけどを負う危険性があると共に、近赤外線の照射部の大きさ（外径）がハロゲンランプの大きさに制約を受ける。そのため、携帯性は確保できたとしても筆記具のような使い勝手に優れた形状・寸法とすることは極めて難しい。
【００１０】
そこで、本発明は上記問題に鑑みて創案なされたもので、その目的とするところは、携帯性に優れ、且つ筆記具と同等の使用感覚で消色操作をすることが可能なペン型の照射装置を提供することにある。
【課題を解決するための手段】
【００１１】
上記課題を解決するために、本発明の請求項１に記載された発明は、両端開口を有し一端部側が先端に向かって徐々に縮小する筒状の所謂ペン型の本体内に、光源からの光の光路を形成する光照射部と、前記光源の点灯制御を行う制御回路部と、前記制御回路部を介して前記光源に給電する電源部を備えたペン型照射装置であって、前記光照射部は、少なくとも先端開口を有する略筒状を呈すると共に内周面の互いに対向する面を夫々第１反射面及び第２反射面とするリフレクタと、前記リフレクタ内の前記第１反射面側に位置する円筒状の放電管と、前記リフレクタの先端開口の前方に位置する凸状の集光レンズと、を備え、前記放電管は前記本体の長手方向の中心軸に対して所定の角度で前方方向に向って外側に開いて配置されていることを特徴とするものである。
【００１２】
また、本発明の請求項２に記載された発明は、請求項１において、前記第１反射面及び前記第２反射面は、前記本体の長手方向の中心軸に対して所定の角度で前方方向に向って外側に開いて配置されていることを特徴とするものである。
【００１３】
また、本発明の請求項３に記載された発明は、請求項２において、前記放電管と前記リフレクタの第１反射面は、前記本体の長手方向の中心軸に対して同一角度で前方方向に向って外側に開いて配置されていることを特徴とするものである。
【００１４】
また、本発明の請求項４に記載された発明は、両端開口を有し一端部側が先端に向かって徐々に縮小する筒状の所謂ペン型の本体内に、光源からの光の光路を形成する光照射部と、前記光源の点灯制御を行う制御回路部と、前記制御回路部を介して前記光源に給電する電源部を備えたペン型照射装置であって、前記光照射部は、少なくとも先端開口を有する略筒状を呈すると共に内周面の１面を第２反射面とし該第２反射面に対向する面を第１反射面及び前記第１反射面の前方方向に位置する第３反射面とするリフレクタと、前記リフレクタ内の前記第１反射面側に位置する円筒状の放電管と、前記リフレクタの先端開口の前方に位置する凸状の集光レンズと、を備え、前記放電管は前記本体の長手方向の中心軸に対して所定の角度で前方方向に向って外側に開いて配置されていることを特徴とするものである。
【００１５】
また、本発明の請求項５に記載された発明は、請求項４において、前記第１反射面、前記第２反射面及び第３反射面は、前記本体の長手方向の中心軸に対して所定の角度で前方方向に向って外側に開いて配置されていることを特徴とするものである。
【００１６】
また、本発明の請求項６に記載された発明は、請求項５において、前記放電管と前記リフレクタの第１反射面は、前記本体の長手方向の中心軸に対して同一角度で前方方向に向って外側に開いて配置されていることを特徴とするものである。
【発明の効果】
【００１７】
本発明のペン型照射装置は、両端開口を有する筒状ペン型の本体内に、光源からの光の光路を形成する光照射部と、光源の点灯制御を行う制御回路部と、制御回路部を介して光源に給電する電源部を備え、そのうちの光照射部を、先端開口を有する略筒状を呈すると共に内周面の互いに対向する面を夫々第１反射面及び第２反射面とするリフレクタと、リフレクタ内の第１反射面側に、本体の長手方向の中心軸に対して所定の角度で前方方向に向って外側に開いて配置された放電管（実施形態ではＸｅ管を使用）と、リフレクタの先端開口の前方に配置された集光レンズとで構成した。
【００１８】
そして、Ｘｅ管から発せられて直接集光レンズに向かう光線、Ｘｅ管から発せられて第２反射面で反射され集光レンズに向かう光線、Ｘｅ管から発せられて第１反射面で反射されて集光レンズに向かう光線、及びＸｅ管から発せられて順次第１反射面及び第２反射面で反射されて集光レンズに向かう光線がいずれも集光レンズ内を導光されてその集光光が本体の前端開口の光照射口を介して外部に照射され、その照射光によって消色性インクで記された文字や図柄等を消色する。
【００１９】
その結果、構造的には、ペン型本体の小スペース内に、電源部、制御回路部及び光照射部の領域を設け、夫々の領域に、下述するように電池、放電用コンデンサを含む回路部品実装基板及び光学部品を収納するようにした。そのため、筆記具と同等の使用感覚で消色操作をすることが可能となると共に、ペンケースに収容できることにより優れた携帯性を有するものとなった。
【００２０】
また、光学的には、Ｘｅ管から発せられた光のうち消色に寄与する光の割合が大きく、高い光利用効率により確実に消色を行うことが可能となった。
【図面の簡単な説明】
【００２１】
【図１】本発明に係わる実施形態のペン型照射装置の構成を模式的に示した説明図である。
【図２】ペン型照射装置の光照射部の構成を模式的に示した説明図である。
【図３】光照射部を構成するリフレクタの正面図である。
【図４】図３のＡ−Ａ断面図である。
【図５】光照射部の光学系による光路形成の説明図である。
【図６】ペン型照射装置の使用状態を示す説明図である。
【図７】他の形状のリフレクタの説明図である。
【図８】他の形状のリフレクタを用いた光照射部の光学系による光路形成の説明図である。
【図９】消色機能と筆記機能を備えたペン型照射装置の構成を模式的に示した説明図である。
【図１０】従来例の説明図である。
【図１１】他の従来例の説明図である。
【発明を実施するための形態】
【００２２】
以下、この発明の好適な実施形態を図１〜図９を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２３】
図１は、本発明に係わるペン型照射装置の構成を模式的に示した説明図、図２はペン型照射装置の光照射部の構成を模式的に示した説明図、図３は光照射部を構成するリフレクタの正面図、図４は図３のＡ−Ａ断面図、図５は光照射部の光学系による光路形成の説明図、図６はペン型照射装置の使用状態を示す説明図である。
【００２４】
図１より、ペン型照射装置１は、消色のための近赤外及び可視光波長領域の光の照射に係わる光照射部１０と、光照射部１０を電気的に制御するための制御回路部２０と、制御回路部２０に電力を供給するための電源部３０で構成されている。
【００２５】
光照射部１０は、近赤外及び可視光波長領域の光を発するＸｅ管１１と、Ｘｅ管１１から発せられた光を照射方向（前方）に向けるリフレクタ１２と、Ｘｅ管１１からの直射光及びＸｅ管１１から発せられてリフレクタ１２で反射された反射光を集光して外部に照射する集光レンズ１３で構成されている。
【００２６】
制御回路部２０は、充電時に、電源部３０から供給された電気エネルギーを蓄えると共に放電時に、蓄えられた電気エネルギーを放電して大電流でＸｅ管１１を閃光させる放電コンデンサ２１と、電源部３０から供給された電圧をＸｅ管１１の発光電圧まで昇圧して放電コンデンサ２１を充電する昇圧充電回路（回路部品）及び放電コンデンサ２１の放電（Ｘｅ管１１の閃光）開始を制御する閃光用スイッチ２２が実装された回路部品実装基板２３で構成されている。
【００２７】
電源部３０は、一次電池又は二次電池のいずれかの電池３１で構成されている。
【００２８】
そして、上記光照射部１０、制御回路部２０及び電源部３０が円筒状の本体４０内に収容されている。本体４０は、前部側の内径及び外径が夫々その先端に向って徐々に縮小し、後部側の内径及び外径は夫々同径でその後端まで延びており、本体４０の前部側から後部側に向って光照射部１０、制御回路部２０及び電源部３０の順に配置されている。
【００２９】
また、本体４０は両端に開口４１、４２を有しており、前端の開口４１はＸｅ管１１からの光を外部に照射するための光照射口となり、後端の開口４２は電源部３０の電池３１を交換するための電池交換口となる。電池交換口には電池３１の電極との電気的な接続を兼ねた開閉蓋４３が螺着されている。
【００３０】
更に、上記光照射部１０、制御回路部２０及び電源部３０は本体４０内で電気的に接続されており、具体的には、電源部３０の電池３１が制御回路部２０の、放電コンデンサ２１が接続された回路部品実装基板２３に接続され、回路部品実装基板２３の出力端子（図示せず）が光照射部１０のＸｅ管１１に接続されている。
【００３１】
光照射部１０（図２参照）は、上述したように、Ｘｅ管１１とリフレクタ１２と集光レンズ１３で構成されており、夫々の適宜な形状・寸法とそれ等の適宜な位置関係により本体４０先端部の小スペース内にほぼ理想的な光学系を形成さしている。
【００３２】
そのうち、リフレクタ１２は１枚の平板状の金属部材に、切断加工・折曲加工・溶接加工等の板金加工を施すことにより、少なくとも先端を開口１２ｅとする筒状に形成されている。そして、少なくともその内周面は光反射面とされている。
【００３３】
この場合、金属部材に反射性を有する部材を用いた場合は反射処理を施す必要はないが、金属部材が十分な反射性を有しないときは、少なくとも内周面にアルミ蒸着やクロムメッキ等による金属反射膜を形成して光反射面とする。
【００３４】
筒状のリフレクタ１２は図３及び図４に示すように、内周面が夫々符号１２ａ、１２ｂ、１２ｃ、１２ｄで示す略４面で構成され、そのうち、一方の一対の対向する内周面１２ｃ、１２ｄはいずれも略平面状に形成され、夫々の面は互いに略平行面をなしている。
【００３５】
他方の一対の対向する内周面１２ａ、１２ｂのうち、内周面１２ｂは内周面１２ｃ、１２ｄに略直角に交差すると共に、本体４０の長手方向の中心軸Ｘに対してβ＝２°の角度で先端（前方）方向に向って外側に開く平面状に形成されている。
【００３６】
一方、内周面１２ａは内周面１２ｃ、１２ｄに交差すると共に、本体４０の長手方向の中心軸Ｘに対してα＝１５°の角度で先端（前方）方向に向って外側に開く、外側に凸状に湾曲した湾曲面状に形成されている。
【００３７】
そして、図２に戻って、Ｘｅ管１１は内周面１２ａの湾曲面に沿って配置されている。したがって、Ｘｅ管１１はその長手方向が本体４０の中心軸Ｘに対して平行ではなく、内周面１２ａと同様に中心軸Ｘに対してα＝１５°の角度で先端（前方）方向に向って外側に開くように配置されている。
【００３８】
リフレクタ１２の先端開口１２ｅの前方には、集光用の凸状の集光レンズ１３が配置され、集光レンズ１３の前方には本来４０の前端の開口４１が位置している。
【００３９】
次に、光照射部１０を構成するＸｅ管１１、リフレクタ１２及び集光レンズ１３で形成された光学系において、Ｘｅ管１１から発せられた光の光路形成について図５を参照して詳細に説明する。
【００４０】
まず、電源部３０の電池３１から回路部品実装基板２３上の昇圧充電回路に電力が供給されると、昇圧充電回路でＸｅ管１１の発光電圧まで昇圧されて放電コンデンサ２１を満充電状態にする。その後、閃光用スイッチ２２を入れると、放電コンデンサ２１の放電による大電流でＸｅ管１１が発光して閃光を発する。
【００４１】
Ｘｅ管１１から発せられた閃光は、図５のように、その一部の光線は直接集光レンズ１３に向い、一部の光線は内周面（１２ｂ）からなる第２反射面１２ｂに向い、一部の光線は内周面（１２ａ）からなる第１反射面１２ａに向かう。
【００４２】
そのうち、Ｘｅ管１１から発せられて直接集光レンズ１３に向かう光線Ｌ１は、集光レンズ１３内を導光されてその集光光が本体４０の前端開口４１の光照射口を介して外部に照射される。
【００４３】
また、Ｘｅ管１１から発せられて第２反射面１２ｂに向かう光線は第２反射面１２ｂで反射される。このとき、互いに対向するＸｅ管１１と第２反射面１２ｂは共に本体４０の中心軸Ｘに対して所定の角度で先端方向に向って外側に開くように配置されている。そのため、第２反射面１２ｂによる反射光線のうち多くの光線Ｌ２は集光レンズ１３に向い、集光レンズ１３内を導光されてその集光光が本体４０の前端開口４１の光照射口を介して外部に照射される。
【００４４】
更に、Ｘｅ管１１から発せられて第１反射面１２ａに向かう光線は第１反射面１２ａで反射されて反射光線の一部の光線Ｌ３は集光レンズ１３に向かい、集光レンズ１３内を導光されてその集光光が本体４０の前端開口４１の光照射口を介して外部に照射される。
【００４５】
また、第１反射面１２ａで反射された反射光線の一部の光線は第２反射面１２ｂに向かい第２反射面１２ｂで反射される。このとき、上記Ｘｅ管１１及び第２反射面１２ｂと同様に、第１反射面１２ａも本体４０の中心軸Ｘに対して所定の角度で先端方向に向って外側に開くように配置されている。そのため、第２反射面１２ｂによる反射光のうち多くの光線Ｌ４は集光レンズ１３に向い、集光レンズ１３内を導光されてその集光光が本体４０の前端開口４１の光照射口を介して外部に照射される。
【００４６】
その結果、本体４０の前端開口４１の光照射口からは、Ｘｅ管１１からの閃光発光の多くが集光された状態で外部に照射されるため、高出力で高密度の光エネルギーが瞬時に照射されることになる。
【００４７】
図６は、ペン型照射装置１の実際の使用方法を示すものである。まず、図６（ａ）のように、例えば熱変色性インク（本実施形態では熱により変色する熱変色性インク）で文字や図柄等が記された原稿５０とペン型照射装置１を準備し、原稿５０上にペン型照射装置１を持って行く。
【００４８】
次に、図６（ｂ）のように、原稿５０上の文字や図柄等の不要で消色したい部分にペン型照射装置１の本体４０の先端部４４（図示しない前端開口）を当てて閃光用スイッチ２２を操作する。すると、本体４０の前端開口から閃光が照射され、その近赤外及び可視光線による光エネルギーを受けた部分の文字や図柄等が消色される。
【００４９】
次に、図６（ｃ）のように、ペン型照射装置１を原稿５０から離すことにより、文字や図柄等の不要な部分が消色（消色領域５２）された原稿５０を得ることができる。
【００５０】
なお、不要で消色したい部分が広範囲に亘るため１回の閃光照射では全部が消色しきれない場合は、本体４０の先端部４４を少しずつ移動させながら閃光照射を繰り返すことにより全ての不要部分を消色することができる。
【００５１】
このとき、ペン型照射装置１からは上述のように高出力で高密度の光エネルギーが照射されるが、光エネルギーの照射は連続的に行われるものではなく閃光照射により断続的に行われるものである。そのため、発光時の発熱量が大きいＸｅ管１１にあっても、１回の閃光照射に係わる発光時間が極めて短時間であるためそれに伴う発熱時間も極めて短時間であり、発熱量自体も極めて少ない。
【００５２】
そのため、閃光照射を繰り返すことにより広範囲の消色を行う場合であっても、全消色時間に対するＸｅ管１１の平均発熱量を少なく抑えることができ、使用者をやけどなどの危険な状態に晒すことがない。
【００５３】
以上のように、本発明のペン型照射装置は、ペン型本体の小スペース内に、電源部、制御回路部及び光照射部の領域を設け、夫々の領域に電池、放電用コンデンサを含む回路部品実装基板及び光学部品を収納するようにした。その結果、筆記具と同等の使用感覚で消色操作をすることが可能となると共に、ペンケースに収容できることにより優れた携帯性を有するものとなった。
【００５４】
また、電源部においては、一次電池又は二次電池のいずれかの電池を用いるようにしたため電源容量を小さくすることができ、省エネルギーに寄与するものとなった。
【００５５】
光照射部においては、本体４０先端部の小スペース内に、光源のＸｅ管と、Ｘｅ管が内在する筒状のリフレクタと、Ｘｅ管とリフレクタの前方に位置する集光レンズを配置し、Ｘｅ管と、リフレクタの第１反射面と第２反射面の２つの反射面を、本体の長手方向の中心軸Ｘに対して所定の角度で先端方向に向かって外側に開くように位置した。
【００５６】
そのため、Ｘｅ管から発せられた直射光、Ｘｅ管から発せられて第２反射面で反射された反射光、Ｘｅ管から発せられて順次第１反射面及び第２反射面で反射された反射光、の夫々の光の多くが先端方向に向かい、集光レンズに到達して集光レンズ内を導光された  集光光が本体４０の前端開口４１の光照射口を介して外部に照射される。
【００５７】
その結果、Ｘｅ管から発せられた光のうち消色に寄与する光の割合が大きく、高い光利用効率により確実に消色を行うことが可能となった。
【００５８】
その上、光源のＸｅ管は、小型、長寿命で、低消費電力で発光光量が大きい。そのため、光照射部はＸｅ管の大きい発光光量と上述の高い光利用効率とを併せ持つことになるため、消色に寄与する光量が格段に大きくなり、消色の確実性を更に向上させることが可能となる。
【００５９】
また、リフレクタは、１枚の平板状の金属部材から簡単な板金加工により所望の形状・寸法に形成するものであり、材料費及び加工費の低減により製造コストの低減化を実現することができる。
【００６０】
ところで、上述の実施形態においては、リフレクタを第１反射面と第２反射面の２つの反射面を有するものとしたが、これに変えて図７に示すようなリフレクタを用いることも可能である。
【００６１】
図７に示すリフレクタは、図２に示す上記実施形態のリフレクタが内周面１２ｂと該内周面１２ｂに対向する面を内周面１２ａとし、内周面１２ｂ及び内周面１２ａを夫々第２反射面及び第１反射面としているのに対し、図７のリフレクタでは、内周面１２ｂと対向する新たな面（内周面１２ｆ）を設け、この内周面１２ｆを第３反射面としている。
【００６２】
新たな内周面（１２ｆ）からなる第３反射面１２ｆは略平面状に形成され、第１反射面１２ａの前方に位置すると共に先端の開口１２ｅを構成している。また、第１反射面１２ａと同様に内周面１２ｃ、１２ｄに略直角に交差すると共に、本体４０の長手方向の中心軸Ｘに対して所定の角度で先端方向に向って外側に開くように配置されている。
【００６３】
そこで、Ｘｅ管１１から発せられた光の光路形成について図８を参照して詳細に説明する。
【００６４】
Ｘｅ管１１から発せられた閃光は、図８のように、その一部の光線は直接集光レンズ１３に向い、一部の光線は内周面（１２ｂ）からなる第２反射面１２ｂに向い、一部の光線は内周面（１２ａ）からなる第１反射面１２ａに向かう。
【００６５】
そのうち、Ｘｅ管１１から発せられて直接集光レンズ１３に向かう光線Ｌ１、Ｘｅ管１１から発せられて第２反射面１２ｂに向かい第２反射面１２ｂで反射され集光レンズ１３に向かう光線Ｌ２、Ｘｅ管１１から発せられて第１反射面１２ａに向かい第１反射面１２ａで反射されて集光レンズ１３に向かう光線Ｌ３、及びＸｅ管１１から発せられて第１反射面１２ａに向かい第１反射面１２ａで反射されて第２反射面１２ｂに向かい第２反射面１２ｂで反射されて集光レンズ１３に向かう光線Ｌ４はいずれも、図５で示す上述の実施形態と同様の光路を辿るものであり、その後集光レンズ１３内を導光されてその集光光が本体４０の前端開口４１の光照射口を介して外部に照射される。
【００６６】
図８で示す本実施形態の光路形成は、上記光線Ｌ１〜Ｌ４に加えて、内周面（１２ｆ）からなる第３反射面１２ｆを経る光路を形成するものである。
【００６７】
具体的には、Ｘｅ管１１から発せられて第２反射面１２ｂに向かう光線は第２反射面１２ｂで反射されて反射光線の一部の光線は第３反射面１２ｆに向かい第３反射面１２ｆで反射される。このとき、上記Ｘｅ管１１及び第２反射面１２ｂと同様に、第３反射面１２ｆも本体４０の中心軸Ｘに対して所定の角度で先端方向に向って外側に開くように配置されている。そのため、第３反射面１２ｆによる反射光線のうち多くの光線Ｌ５は集光レンズ１３に向い、集光レンズ１３内を導光されてその集光光が本体４０の前端開口４１の光照射口を介して外部に照射される。
【００６８】
更に、Ｘｅ管１１から発せられて第１反射面１２ａに向かう光線は第１反射面１２ａで反射されて反射光線の一部の光線は第２反射面１２ｂに向かい第２反射面１２ｂで反射されて第３反射面１２ｆに向かい第３反射面１２ｆで反射される。このとき、上記Ｘｅ管１１、第１反射面１２ａ及び第２反射面１２ｂと同様に、第３反射面１２ｆも本体４０の中心軸Ｘに対して所定の角度で先端方向に向って外側に開くように配置されている。そのため、第３反射面１２ｆによる反射光線のうち多くの光線Ｌ６は集光レンズ１３に向い、集光レンズ１３内を導光されてその集光光が本体４０の前端開口４１の光照射口を介して外部に照射される。
【００６９】
その結果、本体４０の前端開口４１の光照射口からは、Ｘｅ管１１からの閃光発光の更に多くが集光された状態で外部に照射されるため、更なる高出力で高密度の光エネルギーが瞬時に照射される
【００７０】
なお、本発明のペン型照射装置は、ペン型本体の小スペース内に光照射部、制御回路部及び電源部からなる全ての構成要素が高密度で実装されている。そこで、この高密度実装技術を活用して、消色機能と共に消色性インクによる筆記機能を備えた筆記・消色機能一体型装置を実現することもできる。
【００７１】
具体的な例として図９にあるように、ペン型本体に、上記構成からなり光照射口となる前端開口４１を有する消色部５５と消色性インクの出口となるペン先５６を有する筆記部５７を併設するものである。これにより、携帯性に優れた１本のペン型筆記・照射装置によって、筆記「書く」及び消色「消す」の両方の操作が可能になる。
【００７２】
なお、上述の実施形態においては、光源にＸｅ管を使用したが、これに限らず、他の不活性ガス（例えばクリプトン、ネオン、アルゴン）が封入された放電管を使用してもよい。
【００７３】
また、同様に上述の実施形態においては、熱により消色するインクを用いているが、インクの種類はこれに限らず、熱により変色するインク（玩具等に使用される）等も含まれる。
【符号の説明】
【００７４】
１…  照射装置
１０…  光照射部
１１…  Ｘｅ管
１２…  リフレクタ
１２ａ…  内周面（第１反射面）
１２ｂ…  内周面（第２反射面）
１２ｃ…  内周面
１２ｄ…  内周面
１２ｅ…  先端開口
１２ｆ…  内周面（第３反射面）
１３…  集光レンズ
２０…  制御回路部
２１…  放電コンデンサ
２２…  閃光用スイッチ
２３…  回路部品実装基板
３０…  電源部
３１…  電池
４０…  本体
４１…  前端開口
４２…  後端開口
４３…  開閉蓋
４４…  先端部
５０…  原稿
５１…  文字・図柄
５２…  消色領域
５５…  消色部
５６…  ペン先
５７…  筆記部
【図１】
0005529695.tif 000002
【図２】
0005529695.tif 000003
【図３】
0005529695.tif 000004
【図４】
0005529695.tif 000005
【図５】
0005529695.tif 000006
【図６】
0005529695.tif 000007
【図７】
0005529695.tif 000008
【図８】
0005529695.tif 000009
【図９】
0005529695.tif 000010
【図１０】
0005529695.tif 000011
【図１１】
0005529695.tif 000012